(57)【要約】【課題】遊技店の経費および従業員の作業負荷を軽減するとともに、遊技客に負荷をかけることなく複数の遊技客による遊技媒体の共有を実現すること。【解決手段】遊技店で遊技する遊技客に対して遊技媒体の払出を行う遊技システムにおいて、会員の会員識別子を含む会員情報を取得し、会員または非会員が携帯する携帯端末から当該携帯端末を識別する携帯識別子を含む携帯情報を取得し、会員が保有する遊技媒体数を会員識別子に関連付けた遊技媒体口座を会員識別子ごとに記憶し、取得された携帯情報および会員情報を含んだ携帯登録指示を管理装置へ送信し、送信された携帯登録指示を管理装置が受信した場合に、当該携帯登録指示に含まれる携帯識別子を、当該携帯登録指示に含まれる会員識別子に対応する遊技媒体口座からの遊技媒体の引き落としが可能な識別子として管理装置が当該遊技媒体口座へ登録するように遊技システムを構成する。【選択図】図２
2011152236.tif 000002
【特許請求の範囲】
【請求項１】
遊技店の会員を識別する会員識別子に基づいて会員を管理する管理装置を有し、遊技店で遊技する遊技客に対して遊技媒体の払出を行う遊技システムであって、
会員の会員識別子を含む会員情報を取得する会員情報取得手段と、
会員または非会員が携帯する携帯端末から当該携帯端末を識別する携帯識別子を含む携帯情報を取得する携帯情報取得手段と、
前記会員が保有する前記遊技媒体数を前記会員識別子に関連付けた遊技媒体口座を前記会員識別子ごとに記憶する口座記憶手段と、
前記携帯情報取得手段によって取得された前記携帯情報および前記会員情報取得手段によって取得された前記会員情報を含んだ携帯登録指示を前記管理装置へ送信する送信手段と
を備え、
前記管理装置は、
前記送信手段によって送信された前記携帯登録指示を受信した場合に、当該携帯登録指示に含まれる前記携帯識別子を、当該携帯登録指示に含まれる前記会員識別子に対応する前記遊技媒体口座からの遊技媒体の引き落としが可能な識別子として登録する登録手段
を備えたことを特徴とする遊技システム。
【請求項２】
前記口座記憶手段は、
前記会員識別子の正当性を認証するための会員認証符号をさらに含んだ前記遊技媒体口座を記憶し、
前記会員情報取得手段は、
あらたに入力された前記会員認証符号を含んだ前記会員情報を取得し、
前記登録手段は、
前記遊技媒体口座の前記会員認証符号と前記会員情報取得手段によって取得された前記会員認証符号とが一致した場合に、前記携帯識別子を当該遊技媒体口座へ登録することを特徴とする請求項１に記載の遊技システム。
【請求項３】
前記口座記憶手段は、
前記登録手段によって登録された前記携帯識別子の正当性を認証するための携帯認証符号をさらに含んだ前記遊技媒体口座を記憶し、
前記携帯情報取得手段は、
あらたに入力された前記携帯認証符号を含んだ前記携帯情報を取得し、
前記携帯情報取得手段によって取得された前記携帯識別子が登録されている前記遊技媒体口座の前記携帯認証符号と、前記携帯情報取得手段によって取得された前記携帯認証符号とが一致した場合に、当該遊技媒体口座から遊技媒体を引き落として払い出す処理を行う払出処理手段
をさらに備えたことを特徴とする請求項１または２に記載の遊技システム。
【請求項４】
遊技台ごとに設けられる各台装置は、
会員情報取得手段と、
前記携帯識別子に基づく遊技媒体の払い出しが前記払出処理手段によって行われた場合に、払い出し元となった前記遊技媒体口座の前記会員識別子が前記会員情報取得手段によって取得されているならば、当該携帯識別子に基づく遊技媒体の払い出しが行われた旨を報知する報知手段と
を備えたことを特徴とする請求項３に記載の遊技システム。
【請求項５】
前記払出処理手段は、
所定の条件を満たした場合に、前記携帯識別子に基づく遊技媒体の払い出しを停止することを特徴とする請求項３または４に記載の遊技システム。
【請求項６】
前記払出処理手段は、
前記遊技媒体口座に基づく景品交換処理が開始されてから終了するまでの期間については、当該遊技媒体口座に対して登録されている前記携帯識別子に基づく遊技媒体の払い出しを停止することを特徴とする請求項５に記載の遊技システム。
【請求項７】
前記払出処理手段は、
前記携帯識別子に基づく遊技媒体の払い出し総数が所定値を超えた場合に、当該携帯識別子に基づく遊技媒体の払い出しを停止することを特徴とする請求項５または６に記載の遊技システム。
【請求項８】
前記払出処理手段は、
前記登録手段によって前記携帯識別子が登録されてから所定の期間が経過した場合に、前記携帯識別子に基づく遊技媒体の払い出しを停止することを特徴とする請求項５〜７のいずれか一つに記載の遊技システム。
【請求項９】
遊技店の会員を識別する会員識別子に基づいて会員を管理する管理装置であって、
会員または非会員が携帯する携帯端末から当該携帯端末を識別する携帯識別子を含む携帯情報および会員の会員識別子を含む会員情報を含んだ携帯登録指示を他の装置から受信する受信手段と、
前記受信手段によって前記携帯登録指示を受信した場合に、当該携帯登録指示に含まれる前記携帯識別子を、当該携帯登録指示に含まれる前記会員識別子に対応する前記遊技媒体口座からの遊技媒体の引き落としが可能な識別子として登録する登録手段と
を備えたことを特徴とする管理装置。
【発明の詳細な説明】
【技術分野】
【０００１】
この発明は、遊技店の会員を識別する会員識別子に基づいて会員を管理する管理装置を有し、遊技店で遊技する遊技客に対して遊技媒体の払出を行う遊技システムおよび管理装置に関し、特に、遊技店の経費および従業員の作業負荷を軽減するとともに、遊技客に負荷をかけることなく複数の遊技客による遊技媒体の共有を実現することができる遊技システムおよび管理装置に関するものである。
【背景技術】
【０００２】
従来、パチンコ機やパチスロ機といった遊技台が設置されるパチンコ店等の遊技店では、遊技店の会員を募集して集客力の強化を図っている。そして、各遊技店では、会員登録を行った会員に対して貯玉口座を開設し、貯玉した遊技媒体によって会員が再遊技することができる会員サービスを提供している。
【０００３】
なお、「貯玉」とは遊技客が獲得した遊技媒体を遊技店に預けることができるサービスのことで、遊技店側は、遊技客が預けた遊技媒体数を貯玉口座ごとに管理する。そして、遊技客は、貯玉口座を利用することによって当日または翌日以降に遊技媒体を払出して遊技台で遊技を行うこと、すなわち、再プレイすることができる。
【０００４】
また、近年では、複数の遊技客によって貯玉を共有することができる共有口座を開設する会員サービスを提供している遊技店もある。かかるサービスは、複数の会員が共有口座を利用することができ、再プレイを行うことができる。
【０００５】
たとえば、特許文献１には、個人の貯玉口座をもつ複数の会員が一つの共有口座を開設し、共有口座から個人の貯玉口座への貯玉の移動をすることができる遊技システムが開示されている。そして、特許文献１の遊技システムでは、各会員は個人の貯玉口座へ移動した貯玉によって、それぞれ再プレイを行うことができる。
【先行技術文献】
【特許文献】
【０００６】
【特許文献１】特開２００４−１６６７８２号公報
【発明の概要】
【発明が解決しようとする課題】
【０００７】
しかしながら、特許文献１の遊技システムによって共有口座を開設する場合には、貯玉を共有する全ての遊技客が会員登録をする必要があるため、遊技客にとって煩わしいという問題があった。
【０００８】
また、貯玉を共有する遊技客が会員登録を行う際には、住所や電話番号等の個人情報をまとめて遊技店に提出する必要があるため、遊技客のなかには抵抗を感じてしまい、共有口座の開設に至らない場合も考えられる。
【０００９】
たとえ、複数の遊技客によって共有口座を開設したとしても、何らかの理由により共有口座を解約する場合にも、貯玉を共有する全ての遊技客が上述したような煩雑な手続きを行わなくてはならない。
【００１０】
さらに、遊技店は、共有口座を開設するために会員登録を行った全ての遊技客に対して会員カード等を発行したり、遊技店の従業員が全ての遊技客に対して会員登録の処理を行ったりする必要がある。このため、特許文献１を用いた場合、遊技店にとって会員カード等にかかる経費や従業員の作業負荷がかかるという問題があった。
【００１１】
これらのことから、遊技店の経費および従業員の作業負荷を軽減するとともに、遊技客に負荷をかけることなく複数の遊技客による遊技媒体の共有を実現することができる遊技システムおよび管理装置をいかにして実現するかが大きな課題となっている。
【００１２】
この発明は、上述した従来技術による問題点を解消するためになされたものであって、遊技店の経費および従業員の作業負荷を軽減するとともに、遊技客に負荷をかけることなく複数の遊技客による遊技媒体の共有を実現することができる遊技システムおよび管理装置を提供することを目的とする。
【課題を解決するための手段】
【００１３】
上述した課題を解決し、目的を達成するため、本発明は、遊技店の会員を識別する会員識別子に基づいて会員を管理する管理装置を有し、遊技店で遊技する遊技客に対して遊技媒体の払出を行う遊技システムであって、会員の会員識別子を含む会員情報を取得する会員情報取得手段と、会員または非会員が携帯する携帯端末から当該携帯端末を識別する携帯識別子を含む携帯情報を取得する携帯情報取得手段と、前記会員が保有する前記遊技媒体数を前記会員識別子に関連付けた遊技媒体口座を前記会員識別子ごとに記憶する口座記憶手段と、前記携帯情報取得手段によって取得された前記携帯情報および前記会員情報取得手段によって取得された前記会員情報を含んだ携帯登録指示を前記管理装置へ送信する送信手段とを備え、前記管理装置は、前記送信手段によって送信された前記携帯登録指示を受信した場合に、当該携帯登録指示に含まれる前記携帯識別子を、当該携帯登録指示に含まれる前記会員識別子に対応する前記遊技媒体口座からの遊技媒体の引き落としが可能な識別子として登録する登録手段を備えたことを特徴とする。
【００１４】
また、本発明は、上記の発明において、前記口座記憶手段は、前記会員識別子の正当性を認証するための会員認証符号をさらに含んだ前記遊技媒体口座を記憶し、前記会員情報取得手段は、あらたに入力された前記会員認証符号を含んだ前記会員情報を取得し、前記登録手段は、前記遊技媒体口座の前記会員認証符号と前記会員情報取得手段によって取得された前記会員認証符号とが一致した場合に、前記携帯識別子を当該遊技媒体口座へ登録することを特徴とする。
【００１５】
また、本発明は、上記の発明において、前記口座記憶手段は、前記登録手段によって登録された前記携帯識別子の正当性を認証するための携帯認証符号をさらに含んだ前記遊技媒体口座を記憶し、前記携帯情報取得手段は、あらたに入力された前記携帯認証符号を含んだ前記携帯情報を取得し、前記携帯情報取得手段によって取得された前記携帯識別子が登録されている前記遊技媒体口座の前記携帯認証符号と、前記携帯情報取得手段によって取得された前記携帯認証符号とが一致した場合に、当該遊技媒体口座から遊技媒体を引き落として払い出す処理を行う払出処理手段をさらに備えたことを特徴とする。
【００１６】
また、本発明は、上記の発明において、遊技台ごとに設けられる各台装置は、会員情報取得手段と、前記携帯識別子に基づく遊技媒体の払い出しが前記払出処理手段によって行われた場合に、払い出し元となった前記遊技媒体口座の前記会員識別子が前記会員情報取得手段によって取得されているならば、当該携帯識別子に基づく遊技媒体の払い出しが行われた旨を報知する報知手段とを備えたことを特徴とする。
【００１７】
また、本発明は、上記の発明において、前記払出処理手段は、所定の条件を満たした場合に、前記携帯識別子に基づく遊技媒体の払い出しを停止することを特徴とする。
【００１８】
また、本発明は、上記の発明において、前記払出処理手段は、前記遊技媒体口座に基づく景品交換処理が開始されてから終了するまでの期間については、当該遊技媒体口座に対して登録されている前記携帯識別子に基づく遊技媒体の払い出しを停止することを特徴とする。
【００１９】
また、本発明は、上記の発明において、前記払出処理手段は、前記携帯識別子に基づく遊技媒体の払い出し総数が所定値を超えた場合に、当該携帯識別子に基づく遊技媒体の払い出しを停止することを特徴とする。
【００２０】
また、本発明は、上記の発明において、前記払出処理手段は、前記登録手段によって前記携帯識別子が登録されてから所定の期間が経過した場合に、前記携帯識別子に基づく遊技媒体の払い出しを停止することを特徴とする。
【００２１】
遊技店の会員を識別する会員識別子に基づいて会員を管理する管理装置であって、会員または非会員が携帯する携帯端末から当該携帯端末を識別する携帯識別子を含む携帯情報および会員の会員識別子を含む会員情報を含んだ携帯登録指示を他の装置から受信する受信手段と、前記受信手段によって前記携帯登録指示を受信した場合に、当該携帯登録指示に含まれる前記携帯識別子を、当該携帯登録指示に含まれる前記会員識別子に対応する前記遊技媒体口座からの遊技媒体の引き落としが可能な識別子として登録する登録手段とを備えたことを特徴とする管理装置。
【発明の効果】
【００２２】
本発明によれば、遊技店の会員を識別する会員識別子に基づいて会員を管理する管理装置を有し、遊技店で遊技する遊技客に対して遊技媒体の払出を行う遊技システムにおいて、会員の会員識別子を含む会員情報を取得し、会員または非会員が携帯する携帯端末から当該携帯端末を識別する携帯識別子を含む携帯情報を取得し、会員が保有する遊技媒体数を会員識別子に関連付けた遊技媒体口座を会員識別子ごとに記憶し、取得された携帯情報および会員情報を含んだ携帯登録指示を管理装置へ送信し、送信された携帯登録指示を管理装置が受信した場合に、当該携帯登録指示に含まれる携帯識別子を、当該携帯登録指示に含まれる会員識別子に対応する遊技媒体口座からの遊技媒体の引き落としが可能な識別子として管理装置が登録することとしたので、遊技店の経費および従業員の作業負荷を軽減するとともに、遊技客に負荷をかけることなく複数の遊技客による遊技媒体の共有を実現することができるという効果を奏する。
【００２３】
また、本発明によれば、管理装置は会員識別子の正当性を認証するための会員認証符号をさらに含んだ遊技媒体口座を記憶し、あらたに入力された会員認証符号を含んだ会員情報を取得し、遊技媒体口座の会員認証符号と取得された会員認証符号とが一致した場合に、携帯識別子を当該遊技媒体口座へ管理装置が登録することとしたので、会員に対してセキュリティの強化を図ることができるという効果を奏する。
【００２４】
また、本発明によれば、登録された携帯識別子の正当性を認証するための携帯認証符号をさらに含んだ遊技媒体口座を管理装置が記憶し、あらたに入力された携帯認証符号を含んだ携帯情報を取得し、取得された携帯識別子が登録されている遊技媒体口座の携帯認証符号と、取得された携帯認証符号とが一致した場合に、当該遊技媒体口座から遊技媒体を引き落として払い出す処理を行うこととしたので、子携帯として登録された携帯端末を悪用され、貯玉を使用されてしまうということもなく、遊技客に対してセキュリティの強化を図ることができるという効果を奏する。
【００２５】
また、本発明によれば、携帯識別子に基づく遊技媒体の払い出しが行われた場合に、払い出し元となった遊技媒体口座の会員識別子が会員情報取得手段によって取得されているならば、当該携帯識別子に基づく遊技媒体の払い出しが行われた旨を各台装置が報知することとしたので、会員以外の共有者によって会員の貯玉口座から払出が行われた遊技媒体数を会員が把握することができるという効果を奏する。
【００２６】
また、本発明によれば、所定の条件を満たした場合に、携帯識別子に基づく遊技媒体の払い出しを各台装置が停止することとしたので、会員に対して不利益が発生するのを抑止することができるという効果を奏する。
【００２７】
また、本発明によれば、遊技媒体口座に基づく景品交換処理が開始されてから終了するまでの期間については、当該遊技媒体口座に対して登録されている携帯識別子に基づく遊技媒体の払い出しを各台装置が停止することとしたので、景品交換中に貯玉払出が行われ、景品の交換が不可になるような事を防止することによって会員に対して不利益が発生するのを抑止することができるという効果を奏する。
【００２８】
また、本発明によれば、携帯識別子に基づく遊技媒体の払い出し総数が所定値を超えた場合に、当該携帯識別子に基づく遊技媒体の払い出しを各台装置が停止することとしたので、会員に対して不利益が発生するのを抑止することができるという効果を奏する。
【００２９】
また、本発明によれば、携帯識別子が登録されてから所定の期間が経過した場合に、携帯識別子に基づく遊技媒体の払い出しを各台装置が停止することとしたので、会員に対して不利益が発生するのを抑止することができるという効果を奏する。
【図面の簡単な説明】
【００３０】
【図１】図１は、本発明に係る遊技システムの概要を示す図である。
【図２】図２は、本実施例に係る遊技システムの構成を示すブロック図である。
【図３】図３は、各台装置の外観図である。
【図４】図４は、本実施例に係る遊技システムのシステム構成図である。
【図５】図５は、会員情報の一例を示す図である。
【図６】図６は、貯玉口座情報の一例を示す図である。
【図７】図７は、貯玉の払出排他制御について説明する図である。
【図８】図８は、会員への報知画面の表示例を示す図である。
【図９】図９は、各台装置が実行する子携帯登録処理手順その１の概要を示すフローチャートである。
【図１０】図１０は、各台装置が実行する子携帯登録処理手順その２の概要を示すフローチャートである。
【図１１】図１１は、各台装置が実行する子携帯による貯玉払出処理手順の概要を示すフローチャートである。
【図１２】図１２は、個人貯玉口座の変形例を示す図である。
【発明を実施するための形態】
【００３１】
以下に添付図面を参照して、本発明に係る遊技システムの好適な実施例を詳細に説明する。なお、以下では、本発明に係る遊技システムの概要について図１を用いて説明した後に、本発明に係る遊技システムについての実施例を図２〜図１２を用いて説明することとする。
【００３２】
まず、本発明に係る遊技システムの概要について図１を用いて説明する。図１は、本発明に係る遊技システムの概要を示す図である。なお、図１の（Ａ）には、従来技術に係る遊技システムを、図１の（Ｂ）には、本発明に係る遊技システムを、それぞれ示している。
【００３３】
図１の（Ａ）に示すように、従来技術に係る遊技システムでは、個人の貯玉口座（以下、「個人貯玉口座」と記載する）をもつ複数の会員によって一つの共有口座を開設し、共有口座から個人の貯玉口座への貯玉の移動をすることができた。
【００３４】
具体的には、従来技術に係る遊技システムでは、遊技店の会員登録を行った会員Ａおよび会員Ｂに対して、それぞれ個人貯玉口座を開設し、所有する個人貯玉口座に関連付けられた貯玉によって会員は再遊技することができる(図１の(Ａ−１)および(Ａ−２）参照）。
【００３５】
また、従来技術に係る遊技システムでは、会員登録を行った会員Ａおよび会員Ｂに対して会員カードを発行して、会員カードを所有する会員、すなわち、カード会員の個人貯玉口座を会員カードの識別子に関連付けて管理している。
【００３６】
さらに、従来技術に係る遊技システムでは、会員Ａおよび会員Ｂが新たに共有口座を開設すると(図１の(Ａ−３)参照)、会員カードによって共有口座に関連付けられた貯玉を各会員が自身の個人貯玉口座へ移動することができる(図１の(Ａ−４)参照)。
【００３７】
これにより、従来技術に係る遊技システムでは、各会員は個人貯玉口座へ移動した貯玉によって、それぞれ再プレイを行うことができる。しかし、従来技術に係る遊技システムによって新たに共有口座を開設する場合には、貯玉を共有する全ての遊技客が会員登録をする必要があるため、遊技客にとっては煩雑であった。
【００３８】
そこで、本発明に係る遊技システムでは、図１の（Ｂ）に示すように、上記した共有口座を用いることなく、複数の遊技客間で貯玉を共有することができる仕組みを提供することとした。そして、上記した個人口座をもたない非会員であっても、貯玉の共有サービスを受けることができるようにした。
【００３９】
以下、遊技店の携帯会員である会員Ｃに対して個人貯玉口座が開設されていることを前提として説明する(図１の(Ｂ−１)参照)。ここで、携帯会員とは、遊技客の所有する携帯端末の識別子であるＩＤｍに関連付けて会員情報が登録される会員のことである。会員Ｃが、非会員Ｄとの間で貯玉の共有を行いたい場合、非会員Ｄの所有する携帯端末を、会員Ｃの個人貯玉口座の子携帯として登録（以下、「子携帯登録」と記載する）することとした。
【００４０】
すなわち、本発明に係る遊技システムでは、非会員Ｄの所有する携帯端末を、会員Ｃの個人貯玉口座に対して登録することで、会員Ｃの個人貯玉口座へのアクセス権（貯玉の引き落としができる権利）を非会員Ｄへ付与することとした(図１の(Ｂ−２)参照)。
【００４１】
これにより、本発明に係る遊技システムでは、非会員Ｄは自身の所有する携帯端末を利用することによって会員Ｃの個人貯玉口座から貯玉を引き落とすことができる。そして、本発明に係る遊技システムでは、非会員Ｄは会員Ｃの個人貯玉口座から引き落とされた貯玉によって再プレイを行うことができる(図１の(Ｂ−３)参照)。
【００４２】
このようにすることで、本発明に係る遊技システムでは、会員のもつ貯玉を共有しようとする遊技客が、新たに会員登録を行う必要がない。また、貯玉共有を希望する遊技客全員が会員である必要はない。したがって、本発明に係る遊技システムによれば、貯玉共有のためだけにあらたな会員登録を行う必要がないので、遊技店の経費および従業員の作業負荷を軽減することができる。また、遊技客に対して煩雑な手続を強いることなく、複数の遊技客による遊技媒体の共有を実現することができる。以下では、図１を用いて説明した本発明に係る遊技システムについての実施例を詳細に説明する。
【実施例】
【００４３】
図２は、本実施例に係る遊技システムの構成を示すブロック図である。同図に示すように、遊技システムは、各台装置１０と、管理装置２０とを含んでいる。なお、図２では、各台装置１０および管理装置２０の特徴点を説明するために必要な構成要素のみを抜粋して示している。また、図１では、携帯会員の所有する個人貯玉口座へ子携帯登録を行うよう説明したが、会員登録の際に発行された会員カードを所有する会員、すなわちカード会員の所有する個人貯玉口座へ子携帯登録を行うこともできる。以下では、会員がカード会員である場合について説明する。
【００４４】
図２に示すように、各台装置１０は、通信Ｉ／Ｆ（インターフェース）１１と、カードＲ／Ｗ部（リーダ／ライタ）１２と、携帯読取部１３と、表示操作部１４と、制御部１５とを備えている。また、制御部１５は、会員情報取得部１５ａと、権利付与指示部１５ｂと、子携帯情報取得部１５ｃと、貯玉払出要求部１５ｄと、貯玉払出部１５ｅとをさらに備えている。
【００４５】
通信Ｉ／Ｆ１１は、管理装置２０またはパチンコ機３０との間で通信データの送受信を行う通信デバイスで構成されている。たとえば、通信Ｉ／Ｆ１１は、非会員の所有する携帯端末を会員の個人貯玉口座の子携帯として登録する際、アクセス権の権利付与指示とともに非会員の所有する携帯端末の識別子や暗証番号等を管理装置２０へ送信する。
【００４６】
カードＲ／Ｗ部１２は、遊技客が獲得したパチンコ玉（以下、「持玉」と記載する）の計数値または貯玉が関連付けられた会員カード、および、持玉やプリペイド価値が関連付けられた一般カードの発行または受け付けを行う。
【００４７】
具体的には、カードＲ／Ｗ部１２は、会員カードを所有するカード会員が再プレイする場合は、持玉および貯玉が関連付けられた会員カードを受け付け、会員カードの識別子（以下、「カードＩＤ」と記載する）を読み込み、会員情報取得部１５ａへ渡す。
【００４８】
一方、制御部１５では、受け付けたカードＩＤに関連付けられている貯玉数を管理装置２０から取得し、各台装置１０が、取得した貯玉数によってパチンコ玉の払出しを行うことによって、カード会員は再プレイすることとなる。
【００４９】
また、カードＲ／Ｗ部１２には、予め数枚の一般カードが装填されており、非会員の遊技客によってカード返却ボタンが押下された場合に、カードＩＤに対応付けて持玉数またはプリペイド価値を関連付けた一般カードを排出（発行）する。
【００５０】
一方、カードＲ／Ｗ部１２へ会員カードを挿入して遊技を行っているカード会員によってカード返却ボタンが押下された場合には、カードＲ／Ｗ部１２は、会員カードのカードＩＤに対応付けて貯玉数、持玉数、または、プリペイド価値を関連付けて会員カードを返却する。
【００５１】
携帯読取部１３は、子携帯登録を行う際、非会員である遊技客の所有する携帯端末がタッチされた場合に、携帯端末の識別子であるＩＤｍを読み取り、読み取ったＩＤｍを子携帯情報取得部１５ｃへ渡す。
【００５２】
また、携帯読取部１３は、子携帯登録を行った携帯端末によって会員の個人貯玉口座から貯玉を引き落とす際、非会員である遊技客の所有する携帯端末がタッチされた場合に、携帯端末の識別子であるＩＤｍを読み取り、読み取ったＩＤｍを貯玉払出要求部１５ｄへ渡す。
【００５３】
さらに、携帯読取部１３は、携帯端末を会員カードの代わりとして使用している会員（以下、「携帯会員」と記載する）の所有する携帯端末がタッチされた場合には、携帯端末の識別子であるＩＤｍを読み取り、制御部１５へ渡す。
【００５４】
一方、制御部１５では、受け付けたＩＤｍに関連付けられている貯玉数を管理装置２０から取得し、各台装置１０が、取得した貯玉数によってパチンコ玉の払出しを行うことによって、携帯会員は再プレイすることとなる。
【００５５】
なお、本実施例では、携帯端末の識別子であるＩＤｍを用いる場合について示すが、携帯端末を一意に識別することができる情報、たとえば、電話番号やメールアドレスを用いることとしてもよい。
【００５６】
表示操作部１４は、非会員の所有する携帯端末を会員の個人貯玉口座の子携帯として登録する際に操作手順の表示を行う表示部と、カード返却操作、子携帯登録操作、パチンコ玉の払出指示操作、貯玉操作といった各種操作を受け付ける操作部とを備えている。
【００５７】
たとえば、表示操作部１４は、子携帯登録の際、携帯端末をタッチするよう促す表示を行うディスプレイおよび遊技客によって入力される暗証番号を入力するためのテンキーを備えている。また、表示操作部１４は、パチンコ玉の払出指示操作を受け付けるとともに、払出が行われたパチンコ玉の数が減算された貯玉数の残数等を表示する。
【００５８】
ここで、各台装置１０の概要構成を説明するために、図３を用いて各台装置１０の外観について説明しておく。図３は、各台装置１０の外観図である。なお、同図には、各台装置１０が併設されたパチンコ機３０を破線で示している。
【００５９】
図３に示すように、各台装置１０は、各台装置１０の装置状態を所定色のランプの点灯あるいは点滅で表示する状態表示部３１と、パチンコ玉の払出のための各種紙幣を受け付ける紙幣挿入部３２とを備えている。
【００６０】
また、各台装置１０は、従業員が携帯するリモコン（携帯端末装置）から子携帯登録モード切替指示を受け付けるリモコン受光部３３と、子携帯登録操作や貯玉払出操作を受け付けたり、携帯会員の登録モードであることを表示したりする表示操作部１４とを備えている。
【００６１】
各台装置１０は、表示操作部１４に設けられる図示しない貯玉払出ボタンが押下された場合には、会員カードのカードＩＤまたは携帯端末の識別子であるＩＤｍに関連付けられた貯玉数から払出数を減算して、パチンコ機３０からパチンコ玉を投出する。
【００６２】
なお、リモコン受光部３３は、従業員が携帯するリモコン操作によって子携帯登録モード切替指示を受け付け、各台装置１０では、「子携帯登録モード」へ切替える。これにより、非会員の所有する携帯端末によって会員の子携帯登録操作を始めることができる。
【００６３】
また、各台装置１０は、パチンコ玉を払い出すノズルを備えた持玉払出部３４と、持玉数や貯玉数が関連付けられたカード（会員カードまたは一般カード）の受け付け、会員カードの返却、一般カードの発行を行うカードＲ／Ｗ部１２とを備えている。なお、カードＲ／Ｗ部１２の内部には、数枚の一般カードが収納されているものとする。
【００６４】
さらに、各台装置１０は、携帯端末の識別子であるＩＤｍを読み取る携帯読取部１３と、獲得玉を計数する玉計数部３５と、獲得玉を貯留する玉貯留部３６とを備えている。各台装置１０は、同図に示すパチンコ機３０の下皿３７から獲得玉を玉貯留部３６へ誘導し、玉計数部３５で獲得玉の数量を計数する各台計数機能を有する。
【００６５】
そして、各台装置１０は、表示操作部１４に設けられる図示しない持玉払出ボタンが押下された場合には、玉計数部３５で計数された計数値から払出数を減算して、ノズルを備えた持玉払出部３４経由でパチンコ機３０へパチンコ玉を投出する。なお、持玉払出部３４はなくてもよく、その場合は、貯玉と同様にパチンコ機３０から持玉を投出するようにしてもよい。
【００６６】
また、パチンコ機３０の上皿３８には、各台装置１０の制御部１５と電気的に接続されている玉貸ボタンが設けられており、この玉貸ボタンが押下された場合は、紙幣挿入部３２へ挿入された各種紙幣の残額あるいはカードＲ／Ｗ部１２に挿入されたカードに関連付けられたプリペイド価値から所定額を減算し、所定額に応じた数のパチンコ玉をパチンコ機３０から投出する。
【００６７】
なお、本実施例では、各台計数機能と玉貸機能とを兼ね備えた１台の台間装置１０に対して本発明を適用した場合について説明したが、各台計数機能を有する第１の台間装置（計数サンド）と、玉貸機能を有する第２の台間装置（ＣＲユニット）とを併設するシステム（ダブルサンド方式）に対して本発明を適用することとしてもよい。
【００６８】
また、本実施例では、各台装置１０によって遊技客が獲得したパチンコ玉を計数する各台計数機能付きの各台装置について説明したが、各台計数機能のない各台装置１０であってもよい。
【００６９】
図２の説明に戻り、各台装置１０についての説明をつづける。制御部１５は、各台装置１０の全体制御を行う制御部である。会員情報取得部１５ａは、カードＲ／Ｗ部１２へ挿入された会員カードのカードＩＤおよび会員によって表示操作部１４から入力された会員認証用の暗証番号を会員情報として取得する処理を行う処理部である。また、会員情報取得部１５ａは、取得したカードＩＤおよび会員認証用の暗証番号を権利付与指示部１５ｂへ渡す処理を併せて行う。
【００７０】
権利付与指示部１５ｂは、会員情報取得部１５ａから取得した会員情報および子携帯情報取得部１５ｃから取得したＩＤｍおよび子携帯認証用の暗証番号を管理装置２０へ送信する処理を行う処理部である。また、権利付与指示部１５ｂは、子携帯登録を行う非会員に対し、会員の個人貯玉口座へのアクセス権を非会員へ付与する指示を管理装置２０へ送信する。
【００７１】
さらに、権利付与指示部１５ｂは、子携帯登録部２３ａから子携帯登録完了通知を受信したならば、「子携帯登録モード」を解除する処理を併せて行う。このように「子携帯登録モード」が解除されると、各台装置１０では、子携帯登録操作を行うことができない状態となる。
【００７２】
子携帯情報取得部１５ｃは、携帯読取部１３から子携帯登録を行う非会員の携帯端末のＩＤｍおよび子携帯登録を行う非会員によって表示操作部１４から入力された子携帯認証用の暗証番号を子携帯情報として取得する処理を行う処理部である。また、子携帯情報取得部１５ｃは、取得したＩＤｍおよび子携帯認証用の暗証番号を権利付与指示部１５ｂまたは貯玉払出要求部１５ｄへ渡す処理を併せて行う。
【００７３】
貯玉払出要求部１５ｄは、貯玉払出ボタンが押下された場合に、子携帯情報取得部１５ｃから取得した子携帯情報を管理装置２０へ送信する処理を行う処理部である。これにより、貯玉払出要求部１５ｄは、子携帯登録を行った会員の個人貯玉口座から貯玉を引き落として貯玉の払出を行うよう管理装置２０へ要求する。
【００７４】
貯玉払出部１５ｅは、管理装置２０から会員の個人貯玉口座から貯玉を引き落として貯玉の払出を許可する通知を受信した場合に、払出数のパチンコ玉を投出するようパチンコ機３０へ指示する処理を行う処理部である。
【００７５】
また、貯玉払出部１５ｅは、会員が遊技中の場合には、会員が遊技を行っているパチンコ機３０に設けられる各台装置１０の表示操作部１４へ、非会員の携帯端末によって会員の個人貯玉口座から貯玉を引き落とされた旨を表示する処理を併せて行う。
【００７６】
つぎに、管理装置２０の構成について説明する。管理装置２０は、通信Ｉ／Ｆ２１と、記憶部２２と、制御部２３とを備えている。また、制御部２３は、子携帯登録部２３ａと、貯玉払出処理部２３ｂとをさらに備えており、記憶部２２は、会員情報２２ａと、貯玉口座情報２２ｂとを記憶する。
【００７７】
通信Ｉ／Ｆ２１は、ＬＡＮカード等の通信デバイスで構成されており、ＬＡＮ（Local  Area  Network）等のネットワーク経由で、各台装置１０や遊技店内に設置された各種機器との間のデータ送受信を行う。
【００７８】
記憶部２２は、不揮発性メモリやハードディスクドライブといった記憶デバイスで構成される記憶部である。この記憶部２２は、会員識別子に関連付けてＩＤｍおよび暗証番号等を会員情報２２ａとして記憶する。
【００７９】
また、記憶部２２は、会員識別子に関連付けて会員が貯玉を行った貯玉数を貯玉口座情報２２ｂとして記憶する。なお、会員情報２２ａおよび貯玉口座情報２２ｂの詳細については後述することとする。
【００８０】
子携帯登録部２３ａは、権利付与指示部１５ｂから権利付与指示を受信した場合に、権利付与指示とともに受信した会員情報と子携帯情報とに基づいて会員の子携帯登録を行い、会員の個人貯玉口座へのアクセス権を非会員へ付与する処理を行う処理部である。
【００８１】
具体的には、まず、子携帯登録部２３ａは、権利付与指示部１５ｂから受信した会員カードのカードＩＤおよび会員認証用の暗証番号に基づいて会員情報２２ａおよび貯玉口座情報２２ｂを検索することで個人貯玉口座を所有する会員であるか否かを判定する。
【００８２】
ここで、子携帯登録部２３ａは、会員情報２２ａに会員カードのカードＩＤおよび会員認証用の暗証番号が存在し、かつ、貯玉口座情報２２ｂにかかる会員の個人貯玉口座が存在した場合は、個人貯玉口座を所有する会員であると判定することとする。
【００８３】
つづいて、子携帯登録部２３ａは、個人貯玉口座を所有する会員であると判定した場合に、権利付与指示部１５ｂから受信したＩＤｍおよび子携帯認証用の暗証番号を会員情報２２ａへ登録する。これにより、子携帯登録部２３ａは、会員の個人貯玉口座へのアクセス権を、子携帯を所有する非会員へ付与することとなる。
【００８４】
また、子携帯登録部２３ａは、会員情報２２ａへの登録が完了したならば、権利付与指示部１５ｂへ子携帯登録完了通知を送信する処理を併せて行う。
【００８５】
貯玉払出処理部２３ｂは、貯玉払出要求部１５ｄから子携帯情報とともに貯玉払出要求を受信した場合に、子携帯情報に基づいて会員の個人貯玉口座から貯玉を引き落とす処理を行う処理部である。
【００８６】
具体的には、貯玉払出処理部２３ｂは、貯玉払出要求部１５ｄから受信したＩＤｍおよび子携帯認証用の暗証番号に基づいて会員情報２２ａを検索することで、子携帯として登録されているか否かを判定する。
【００８７】
ここで、貯玉払出処理部２３ｂは、会員情報２２ａに子携帯のＩＤｍおよび子携帯認証用の暗証番号が存在した場合は、子携帯として登録されていると判定することとする。
【００８８】
そして、貯玉払出処理部２３ｂは、子携帯として登録されていると判定した場合に、子携帯が登録されている会員の個人貯玉口座から払出数を減算して、貯玉払出を許可する通知を貯玉払出部１５ｅへ送信する。
【００８９】
つぎに、本実施例に係る遊技システムの構成について図４を用いて説明する。図４は、本実施例に係る遊技システムのシステム構成図である。同図に示すように、遊技店に設置された管理装置２０には、ＬＡＮ（Local  Area  Network）等のネットワーク経由で、島コントローラ４０と、島端計数機５０と、精算機６０と、景品管理装置７０と、携帯端末処理機８０とが接続されている。
【００９０】
また、島コントローラ４０の配下には、複数組の各台装置１０およびパチンコ機３０が接続されている。なお、同図には、２台の島コントローラ４０のみを示しているが、管理装置２０には所定数の島コントローラ４０が接続されるものとする。また、各台装置１０は、島コントローラ４０と各パチンコ機３０との間に介在し、一つの島コントローラ４０に対して、所定数の各台装置１０が接続されるものとする。
【００９１】
管理装置２０は、会員情報２２ａおよび貯玉口座情報２２ｂを記憶部２２に記憶しており、会員カードまたはＩＤｍに関連付けられた貯玉に関する情報や子携帯登録情報等を管理している。
【００９２】
島コントローラ４０は、遊技島に設けられた一群のパチンコ機３０および各台装置１０を束ねる中継装置である。パチンコ機３０は、パチンコ玉を遊技領域に打ち込んで遊技客がパチンコ遊技を行う装置である。
【００９３】
島端計数機５０は、遊技島端等に設けられ、遊技客が獲得したパチンコ玉を計数し、計数値を会員カードまたは携帯端末に関連付ける、若しくは、レシートへ計数値を印字し、発行する。
【００９４】
精算機６０は、紙幣挿入部３２に挿入された各種紙幣の残額が会員カードまたは一般カードに関連付けられている場合に、残額が関連付けられているカードが挿入されると、残額に相当する現金の払出を行う。また、精算機６０は、紙幣挿入部３２に挿入された各種紙幣の残額が携帯端末に関連付けられている場合に、携帯端末のタッチを受け付けると、残額に相当する現金の払出を行う。
【００９５】
景品管理装置７０は、遊技店内の景品交換カウンタに併設された景品交換用の端末装置であり、図示しない交換玉数管理情報を用いて獲得玉と景品との交換を管理する。なお、交換玉数管理情報は、景品毎にその景品との交換に要する交換玉数を対応付けた情報である。
【００９６】
ここで、携帯会員は、景品交換カウンタへ携帯端末を持参し、景品管理装置７０または景品管理装置７０に併設された携帯端末処理機８０に携帯端末をタッチすることで、ＩＤｍに関連付けられた貯玉または計数値に応じた景品を受け取ることができる。
【００９７】
なお、非携帯会員が、一般カードや会員カードを持参し、景品管理装置７０へ一般カードや会員カードを挿入したりした場合には、貯玉または計数値に応じた景品を受け取ることができるものとする。また、景品管理装置７０では、遊技客がレシートを持参し、持参したレシートに印字された計数値によって景品の交換を行うこともできる。
【００９８】
その際、景品交換カウンタ内の従業員が、遊技客により指定された景品に対応する交換ボタンを押下する。交換ボタンの押下を受け付けた景品管理装置７０は、指定された景品に相当する交換玉数を計数値から減算する交換制御を実行する。その後、従業員が手作業によって遊技客に指定された景品を渡すこととなる。
【００９９】
つぎに、会員情報２２ａおよび貯玉口座情報２２ｂの詳細について図５〜６を用いて説明する。図５は、会員情報２２ａの一例を示す図である。
【０１００】
図５に示すように、会員情報２２ａは、「会員識別子」項目と、「会員種別」項目と、「ＩＤｍ」項目と、「暗証番号」項目と、「子携帯ＩＤｍ」項目と、「子携帯暗証番号」項目とを含んでいる。
【０１０１】
「会員識別子」項目は、遊技店の会員の識別子であり、遊技店の会員を一意に識別することができる情報である。「会員識別子」項目は、携帯会員の場合は、携帯会員が所有する携帯端末のＩＤｍと同じであってもよいし、また、カード会員の場合は、カードＩＤと同じであってもよい。
【０１０２】
「会員種別」項目は、携帯会員であるか、または、カード会員であるかの種別である。「ＩＤｍ」項目は、携帯会員が所有する携帯端末の識別子であり、会員の携帯端末を一意に識別することができる情報である。
【０１０３】
「暗証番号」項目は、機密保護のために会員本人であることを確認するために用いる会員認証用の番号である。「子携帯ＩＤｍ」項目は、子携帯登録が行われる際に子携帯として登録する携帯端末の識別子であり、子携帯の携帯端末を一意に識別することができる情報である。
【０１０４】
「子携帯暗証番号」項目は、子携帯登録された子携帯を所有する所有者であることを機密保護のために確認するために用いる子携帯認証用の番号である。なお、本実施例では、「暗証番号」項目および「子携帯暗証番号」項目は、番号であることとしたが、文字や数字の組み合わせからなる符号としてもよい。
【０１０５】
つづいて、貯玉口座情報２２ｂの詳細について図６を用いて説明する。図６は、貯玉口座情報２２ｂの一例を示す図である。
【０１０６】
図６に示すように、貯玉口座情報２２ｂは、「会員識別子」項目と、「個人貯玉口座」項目とを含んでいる。「会員識別子」項目は、遊技店の会員の識別子であり、遊技店の会員を一意に識別することができる情報である。「個人貯玉口座」項目は、会員の所有する貯玉数である。なお、貸出レート毎に複数の貯玉口座をもつようにしてもよい。
【０１０７】
会員は、自身の所有する個人貯玉口座から払出数を引き落とすことによって貯玉払出を行うことができ、また、子携帯登録が行われた携帯端末を所有する非会員は、会員の個人貯玉口座から払出数を引き落とすことによって貯玉払出を行うことができる。
【０１０８】
しかし、管理装置２０では、所定の条件が成立した場合に、会員の個人貯玉口座から貯玉払出を行うことができないように、排他制御をかけることとしてもよい。そこで、管理装置２０の貯玉払出処理部２３ｂが実行する貯玉の払出排他制御処理について図７を用いて説明する。
【０１０９】
図７は、貯玉の払出排他制御について説明する図である。なお、図７の（Ａ）には、会員の個人貯玉口座へのアクセス権を破棄する場合を、図７の（Ｂ）には、子携帯による貯玉の払出を一時中断する場合を、それぞれ示している。
【０１１０】
貯玉払出処理部２３ｂは、貯玉払出要求部１５ｄから受信したＩＤｍおよび子携帯認証用の暗証番号に基づいて子携帯として登録されていると判定した場合に、会員の個人貯玉口座から払出数を引き落とすことによって貯玉払出を行うことができる。
【０１１１】
しかし、管理装置２０では、所定の条件の場合に、子携帯によって会員の個人貯玉口座から貯玉払出を行うことができないようにすることとしてもよい。たとえば、図７の（Ａ）に示すように、非会員に対して付与されていた会員の個人貯玉口座へのアクセス権が会員によって破棄された場合に、貯玉払出要求部１５ｄは、非会員の所有する子携帯による貯玉払出を行うことができないようにしてもよい。具体的には、各台装置１０や景品交換カウンタの景品管理装置等を用いて、会員の申し出に応じて、従業員が子携帯の登録解除処理を行う。
【０１１２】
また、図７の（Ｂ）に示すように、景品交換カウンタに併設された景品管理装置７０によって会員が景品交換を行っている間は、貯玉払出要求部１５ｄは、子携帯による貯玉払出を行うことができないよう、アクセス権を一時中断することとしてもよい。
【０１１３】
さらに、個人貯玉口座の貯玉数が、貯玉の引き落とし単位未満である場合や、子携帯登録を行ってから所定時間または所定日数経過した場合に、貯玉払出要求部１５ｄは、子携帯による貯玉払出を行うことができないとしてもよい。たとえば、子携帯の有効期間を「1日（登録日限り）」とした場合、子携帯が登録された日の閉店処理あるいは翌営業日の開店処理が行われるタイミングで、管理装置２０における子携帯との登録情報を抹消する。また、管理装置２０がカレンダー機能やタイマー機能を有し、有効期間の経過を判断するようにしてもよい。
【０１１４】
また、予め、子携帯による貯玉払出数の上限値を閾値として管理装置２０等に設けておいてもよい。たとえば、子携帯登録の際に、貯玉払出数の閾値を会員が設定することとしてもよいし、遊技店が予め設定していてもよい。また、管理装置２０が、貯玉払出数の閾値を会員の個人貯玉口座の貯玉数に基づいて変動させることとしてもよい。さらに、子携帯による景品交換の実施可否についても、会員または従業員によって設定できることとしてもよい。
【０１１５】
つぎに、非会員の携帯端末によって会員の個人貯玉口座から貯玉を引き落とされた旨を各台装置１０が報知する処理について図８を用いて説明する。
【０１１６】
図８は、会員への報知画面の表示例を示す図である。図８の（Ａ）に示すように、遊技を行っているパチンコ機３０に設けられる各台装置１０の表示操作部１４には、会員がカードＲ／Ｗ部１２へ挿入されたカードに関連付けられた貯玉数（５０００玉）が表示されているとする。
【０１１７】
ここで、図８の（Ｂ）に示すように、非会員の携帯端末によって会員の個人貯玉口座から貯玉を引き落とされる際に、表示操作部１４は、子携帯による貯玉払出が行われる旨を報知する。なお、子携帯による貯玉払出が行われる旨を報知された際に、表示操作部１４に設けられた許可ボタンを会員により押下されることによって、非会員の携帯端末による会員の個人貯玉口座から貯玉を引き落とす処理を行うこととしてもよい。
【０１１８】
そして、たとえば、２５０玉の貯玉が払出された場合は、表示操作部１４は、図８の（Ｃ）上部に示すように、会員の個人貯玉口座の残数を「貯玉数  ４７５０玉」と表示し、また、図８の（Ｃ）下部に示すように、「子携帯払出  計２５０玉」と表示する。
【０１１９】
表示操作部１４は、上述した処理を繰り返すことにより、子携帯による貯玉払出の合計値を表示することとなる。
【０１２０】
つぎに、本実施例に係る遊技システムが実行する処理について図９〜１１を用いて説明する。まず、会員がカード会員である場合に、遊技システムが実行する子携帯登録処理について図９を用いて説明する。
【０１２１】
図９は、各台装置１０が実行する子携帯登録処理手順その１の概要を示すフローチャートである。同図に示すように、表示操作部１４から子携帯登録指示を受け付け、カードＲ／Ｗ部１２は、貯玉数が関連付けられた会員カードが挿入されたならば（ステップＳ１０１）、会員カードのカードＩＤの読み込みを行い（ステップＳ１０２）、読み込んだカードＩＤを会員情報取得部１５ａへ渡す。
【０１２２】
そして、表示操作部１４は、会員認証用の暗証番号の入力を促す旨を表示し、会員によって入力された暗証番号を会員情報取得部１５ａへ渡す（ステップＳ１０３）。その後、リモコン受光部３３は、従業員が携帯するリモコン操作によって子携帯登録モード切替指示を受け付け、各台装置１０では、「子携帯登録モード」へ変更する（ステップＳ１０４）。
【０１２３】
また、携帯読取部１３は、非会員である遊技客の所有する携帯端末すなわち子携帯がタッチされたことによって（ステップＳ１０５）子携帯のＩＤｍを読み取り（ステップＳ１０６）、子携帯のＩＤｍを子携帯情報取得部１５ｃへ渡す。
【０１２４】
つづいて、表示操作部１４は、子携帯認証用の暗証番号の入力を促す旨を表示し、非会員によって入力された暗証番号を子携帯情報取得部１５ｃへ渡す（ステップＳ１０７）。
【０１２５】
そして、権利付与指示部１５ｂは、権利付与指示を、会員情報取得部１５ａで取得した会員情報（会員のカードＩＤ、暗証番号等）と子携帯情報取得部１５ｃで取得した子携帯情報（子携帯のＩＤｍ、暗証番号等）とともに、管理装置２０へ送信する（ステップＳ１０８）。
【０１２６】
管理装置２０は、各台装置１０から取得した情報に基づいて会員の認証を行い、適正であると判定した場合には、子携帯の登録処理を行い、登録完了通知を各台装置１０へ送信する。一方、各台装置１０では、権利付与指示部１５ｂは、子携帯登録部２３ａから子携帯登録完了通知を受信したか否かを判定する（ステップＳ１０９）。
【０１２７】
権利付与指示部１５ｂは、子携帯登録部２３ａから子携帯登録完了通知を受信した場合（ステップＳ１０９，Ｙｅｓ）、「子携帯登録モード」を解除し（ステップＳ１１０）、各台装置１０が実行する一連の子携帯登録処理を終了する。
【０１２８】
一方、権利付与指示部１５ｂは、子携帯登録部２３ａから子携帯登録完了通知を受信しなかった場合（ステップＳ１０９，Ｎｏ）、正常に登録処理が行われなかったと判定し、処理を終了する。
【０１２９】
つぎに、会員が携帯会員である場合に、遊技システムが実行する子携帯登録処理について図１０を用いて説明する。図１０は、各台装置１０が実行する子携帯登録処理手順その２の概要を示すフローチャートである。
【０１３０】
図１０に示すように、まず、リモコン受光部３３は、従業員が携帯するリモコン操作によって子携帯登録モード切替指示を受け付け、各台装置１０では、「子携帯登録モード」へ変更する（ステップＳ２０１）。
【０１３１】
そして、携帯読取部１３は、会員の所有する携帯端末がタッチされたことによって（ステップＳ２０６）会員の携帯端末のＩＤｍを読み取り（ステップＳ２０３）、子携帯のＩＤｍを会員情報取得部１５ａへ渡す。また、表示操作部１４は、会員認証用の暗証番号の入力を促す旨を表示し、会員によって入力された暗証番号を会員情報取得部１５ａへ渡す（ステップＳ２０４）。
【０１３２】
このように、会員が携帯会員である場合は、会員の携帯端末のＩＤｍを読み取り、会員情報として会員情報取得部１５ａへ渡すこととする。その後、図１０のステップＳ２０５〜ステップＳ２１０の処理については、図９のステップＳ１０５〜ステップＳ１１０と同様であるので、説明を省略する。
【０１３３】
つぎに、遊技システムが実行する貯玉払出処理について図１１を用いて説明する。図１１は、各台装置１０が実行する子携帯による貯玉払出処理手順の概要を示すフローチャートである。
【０１３４】
図１１に示すように、貯玉払出要求部１５ｄは、貯玉払出ボタンが押下されることによって子携帯による貯玉払出要求を受け付ける（ステップＳ３０１）。そして、携帯読取部１３は、非会員である遊技客の所有する携帯端末すなわち子携帯がタッチされたことによって（ステップＳ３０２）子携帯のＩＤｍを読み取り（ステップＳ３０３）、子携帯のＩＤｍを子携帯情報取得部１５ｃへ渡す。
【０１３５】
つづいて、表示操作部１４は、子携帯認証用の暗証番号の入力を促す旨を表示し、非会員によって入力された暗証番号を子携帯情報取得部１５ｃへ渡す（ステップＳ３０４）。そして、貯玉払出要求部１５ｄは、子携帯による貯玉払出要求を、子携帯情報取得部１５ｃで取得した子携帯情報（子携帯のＩＤｍ、暗証番号等）とともに、管理装置２０へ送信する（ステップＳ３０５）。
【０１３６】
一方、図示しないが、管理装置２０の貯玉払出処理部２３ｂでは、各台装置１０の貯玉払出要求部１５ｄから受信した子携帯情報が子携帯として登録されおり、かつ、暗証番号が適正であると判定した場合に、子携帯が登録されている会員の個人貯玉口座から払出数を減算して、貯玉払出を許可する通知を貯玉払出部１５ｅへ送信する。
【０１３７】
また、管理装置２０の貯玉払出処理部２３ｂでは、各台装置１０の貯玉払出要求部１５ｄから受信した子携帯情報が子携帯として登録されていない、若しくは暗証番号が適正でないと判定した場合に、貯玉払出不可の通知を貯玉払出部１５ｅへ送信する。
【０１３８】
そして、貯玉払出部１５ｅは、貯玉払出処理部２３ｂから受信した通知が貯玉払出を許可する通知か否かを判定する（ステップＳ３０６）。貯玉払出部１５ｅは、貯玉払出処理部２３ｂから受信した通知が貯玉払出を許可する通知であると判定した場合（ステップＳ３０６，Ｙｅｓ）、パチンコ機３０へ貯玉払出の指示をすることによって（ステップＳ３０７）パチンコ機３０から払出数のパチンコ玉が投出され、各台装置１０が実行する一連の貯玉払出処理を終了する。
【０１３９】
一方、貯玉払出部１５ｅは、貯玉払出処理部２３ｂから受信した通知が貯玉払出不可の通知であると判定した場合（ステップＳ３０６，Ｎｏ）、処理を終了する。
【０１４０】
なお、貯玉払出要求部１５ｄは、貯玉払出ボタンが押下されることによって子携帯による貯玉払出要求を受け付けることとしたが、各台装置１０は、子携帯をタッチされたことによって貯玉払出要求を受け付けることとしてもよい。
【０１４１】
また、各台装置１０で、子携帯登録が行われてから所定時間が経過していない場合や、子携帯による貯玉払出処理が行われてから所定時間が経過していない場合には、子携帯の認証を保持することとしてもよい。これにより、各台装置１０は、ステップＳ３０４の子携帯認証用の暗証番号の入力を行わずに、貯玉払出が行われることとなる。
【０１４２】
また、子携帯による貯玉払出が行われ、子携帯を所有する遊技客がパチンコ玉を獲得した状態で遊技を終了する場合には、以下に説明する処理のいずれかを行うことができる。まず、遊技客は、獲得した獲得玉を各台装置１０で計数し、計数した持玉数が関連付けられた一般カードを受け取り、一般カードによって台移動や景品交換を行う。
【０１４３】
また、遊技客は、獲得玉を島端計数機５０で計数し、計数値が関連付けられたレシートを受け取り、景品交換を行う。また、獲得玉を各台装置１０や島端計数機５０で計数し、子携帯によって貯玉処理が行われた場合には、子携帯が登録されている会員の個人貯玉口座に加算される。
【０１４４】
このように、本実施例に係る遊技システムおよび管理装置は、非会員の所有する携帯端末によって会員の個人貯玉口座への子携帯登録を行い、会員の個人貯玉口座へのアクセス権を非会員へ付与する。そして、本実施例に係る遊技システムおよび管理装置では、非会員は自身の所有する携帯端末を利用することによって会員の個人貯玉口座から貯玉を引き落とすことができる。そして、本実施例に係る遊技システムおよび管理装置では、非会員は会員の個人貯玉口座から引き落とされた貯玉によって再プレイを行うことができる。
【０１４５】
このようにすることで、本実施例に係る遊技システムおよび管理装置によれば、遊技店の経費および従業員の作業負荷を軽減するとともに、遊技客に負荷をかけることなく複数の遊技客による遊技媒体の共有を実現することができる。
【０１４６】
ところで、本実施例においては、子携帯登録を行った非会員へ、会員の個人貯玉口座へのアクセス権を付与し、非会員は自身の所有する携帯端末を利用することによって会員の個人貯玉口座から貯玉を引き落とすことができる遊技システムについて説明した。
【０１４７】
しかしながら、本発明はこれに限られるものではない。そこで、以下では、子携帯登録処理を行った非会員の個人貯玉口座を開設する場合の変形例について図１２を用いて説明する。
【０１４８】
図１２は、個人貯玉口座の変形例を示す図である。同図の（Ａ）に示すように、会員が個人貯玉口座を所有していたとする（同図の（１）参照）。ここで、非会員の所有する携帯端末によって会員に対して子携帯登録を行った場合に（同図の（２）参照）、非会員の個人貯玉口座を開設する（同図の（３）参照）。
【０１４９】
ここで、非会員は会員登録を行っていないので、非会員の個人貯玉口座は仮想的な口座として登録されるものとし、非会員が遊技終了後または所定期間経過後には、非会員の個人貯玉口座は閉鎖されるものとする。ここで、非会員の個人貯玉口座は閉鎖される際に、非会員の個人貯玉口座に残っている貯玉を、子携帯が登録されている会員の個人貯玉口座に加算されるようにしてもよい。
【０１５０】
そして、非会員は会員の個人貯玉口座から貯玉を引き落とすことができるまでは、上述した実施例と同じであるが、非会員は、会員の個人貯玉口座から引き落とした貯玉を、非会員の個人貯玉口座へ移動し、再プレイすることができることとした。
【０１５１】
具体的には、図１２の（Ｂ）に示すように、子携帯による引き落とし単位を１０００玉とした場合に、会員の個人貯玉口座から引き落とした貯玉（１０００玉）を、非会員の個人貯玉口座へ移動し、非会員は自身の個人貯玉口座からパチンコ玉の払出を行うことができる。
【０１５２】
また、図１２の（Ｃ）に示すように、非会員がパチンコ玉を獲得して貯玉処理を行った場合には、獲得したパチンコ玉数を非会員の個人貯玉口座へ加算することもできるものとする（同図の（４）参照）。
【０１５３】
さらに、非会員の個人貯玉口座（３０００玉）から会員の個人貯玉口座から引き落とした貯玉数（１０００玉）を会員の個人貯玉口座へ移動することができることとしてもよい。これにより、非会員は会員の個人貯玉口座へ引き落とした貯玉を、返却することができる（図１２の（５）参照）。
【０１５４】
なお、上述した実施例では、各台装置１０で子携帯登録処理を行い、権利付与指示部１５ｂが権利付与指示を管理装置へ送信し、各台装置１０の貯玉払出要求部１５ｄが会員の個人貯玉口座からの貯玉払出要求を行うようにした。
【０１５５】
しかし、権利付与指示部１５ｂと貯玉払出要求部１５ｄとは同一装置内に設ける必要はなく、島端に設置された島端計数機５０およびカウンタに設置された景品管理装置７０等の店内に設置される端末装置によって子携帯登録処理を行うこととしてもよい。
【０１５６】
具体的には、景品管理装置７０によって子携帯登録処理を行う場合は、景品管理装置７０に会員情報取得部１５ａ、権利付与指示部１５ｂおよび子携帯情報取得部１５ｃを備えるよう構成する。このように構成することによって、景品管理装置７０による、子携帯登録処理を行うことができる。
【０１５７】
また、上述した実施例では、子携帯登録を行うことによって、会員の個人貯玉口座から払出数を引き落とすことができることとした。しかし、管理装置２０では、会員の獲得したパチンコ玉の計数値を個人持玉口座として登録して、子携帯によって会員の個人持玉口座から引き落としができることとしてもよい。
【０１５８】
また、上述した実施例では、一人の会員に対して、一つの子携帯登録を行う場合について説明したが、複数の子携帯を登録することが可能であり、子携帯登録部２３ａでは、複数の非会員に対して会員の個人貯玉口座へのアクセス権を付与することとしてもよい。
【０１５９】
また、上述した実施例では、パチンコ遊技に適用する例を説明したが、パチスロ遊技を対象としてさらに含めた場合、または、パチスロ遊技のみを対象とした場合にも同様に適用することができる。なお、ここでは、パチンコ店に本発明を適用する例を説明したが、本発明はこれに限定されるものではなく、ゲームセンタ等の遊技施設にも同様に適用することができる。
【産業上の利用可能性】
【０１６０】
以上のように、本発明に係る遊技システムおよび管理装置は、遊技店の経費および従業員の作業負荷を軽減する場合に有用であり、特に、遊技客に負荷をかけることなく複数の遊技客によって遊技媒体を共有させたい場合に適している。
【符号の説明】
【０１６１】
１０    各台装置
１１    通信Ｉ／Ｆ
１２    カードＲ／Ｗ部
１３    携帯読取部
１４    表示操作部
１５    制御部
１５ａ  会員情報取得部
１５ｂ  権利付与指示部
１５ｃ  子携帯情報取得部
１５ｄ  貯玉払出要求部
１５ｅ  貯玉払出部
２０    管理装置
２１    通信Ｉ／Ｆ
２２    記憶部
２２ａ  会員情報
２２ｂ  貯玉口座情報
２３    制御部
２３ａ  子携帯登録部
２３ｂ  貯玉払出処理部
３０    パチンコ機
３１    状態表示部
３２    紙幣挿入部
３３    リモコン受光部
３４    持玉払出部
３５    玉計数部
３６    玉貯留部
３７    下皿
３８    上皿
４０    島コントローラ
５０    島端計数機
６０    精算機
７０    景品管理装置
８０    携帯端末処理機
【図１】
2011152236.tif 000003
【図２】
2011152236.tif 000004
【図３】
2011152236.tif 000005
【図４】
2011152236.tif 000006
【図５】
2011152236.tif 000007
【図６】
2011152236.tif 000008
【図７】
2011152236.tif 000009
【図８】
2011152236.tif 000010
【図９】
2011152236.tif 000011
【図１０】
2011152236.tif 000012
【図１１】
2011152236.tif 000013
【図１２】
2011152236.tif 000014